(57)【要約】【課題】シートの位置に応じて出力装置の出力を自動的に調整することができる小型且つ簡易な構造のシート位置連動システムを提供する。【解決手段】本シート位置連動システム１は、車両におけるシートの位置を検出する検出手段（検出センサ３）と、乗員の感覚器に受容されるもの（光、風）を車室空間へ出力する出力装置４、５と、を備える。そして、出力装置は、検出手段のシートの位置の検出結果に応じて、出力量及び／又は出力方向を調整する。【選択図】図１
2014136570.tif 000002
【特許請求の範囲】
【請求項１】
車両におけるシートの位置を検出する検出手段と、
乗員の感覚器に受容されるものを車室空間へ出力する出力装置と、を備え、
前記出力装置は、前記検出手段の前記シートの位置の検出結果に応じて、出力量及び／又は出力方向を調整することを特徴とするシート位置連動システム。
【請求項２】
前記出力装置は、光を出力し、前記検出結果に応じて、光の量及び／又は光の方向を調整する請求項１記載のシート位置連動システム。
【請求項３】
前記出力装置は、風を出力し、前記検出結果に応じて、風の量及び／又は風の方向を調整する請求項１記載のシート位置連動システム。
【発明の詳細な説明】
【技術分野】
【０００１】
本発明は、シート位置連動システムに関し、さらに詳しくは、シートの位置に応じて出力装置の出力を自動的に調整することができる小型且つ簡易な構造のシート位置連動システムに関する。
【背景技術】
【０００２】
一般に、ミニバン等の自動車におけるシートの位置（例えば、シートのスライド位置等）を調整したときに、調整前のシートの位置に対して、照明装置による光量や光方向が適正でなくなったり、空調装置による風量や風方向が適正でなくなったりしてしまう。そのため、乗員が手動により、照明装置の光量や光方向を調整したり、空調装置の風量や風方向を調整したりしており、煩雑な調整作業が必要である。
【０００３】
そこで、上記問題を解決する技術として、シートの位置に応じて照明装置をスライド移動させることで照明装置の光量や光方向を調整するものが提案されている（例えば、特許文献１参照）。この特許文献１には、例えば、図１２に示すように、車両天井部に車両前後方向に延びるガイドレール１０２を設け、このガイドレール１０２に沿って照明装置１２３をスライド自在に設け、駆動モータ１１８の駆動によりシートの位置に応じて照明装置１２３をスライド移動させるシート位置連動システム１０１が開示されている。
【先行技術文献】
【特許文献】
【０００４】
【特許文献１】特開平５−１５５２９０号公報
【発明の概要】
【発明が解決しようとする課題】
【０００５】
しかし、上記特許文献１のシート位置連動システム１０１では、照明装置１２３を天井部にスライド可能に設けているので、天井部にガイドレール１０２や駆動モータ１１８等の複雑な構造物を組み込む必要があり、極めて大きな搭載スペースが必要となる。また、照明装置１２３が長距離をスライド移動するため、ワイヤーハーネスの取り回しが困難となる。さらに、上記特許文献１は、シートの位置に連動する照明装置に関する技術であり、空調装置等の他の出力装置に関しては全く考慮されていない。
【０００６】
本発明は、上記現状に鑑みてなされたものであり、シートの位置に応じて出力装置の出力を自動的に調整することができる小型且つ簡易な構造のシート位置連動システムを提供することを目的とする。
【課題を解決するための手段】
【０００７】
上記問題を解決するために、請求項１に記載の発明は、シート位置連動システムであって、車両におけるシートの位置を検出する検出手段と、乗員の感覚器に受容されるものを車室空間へ出力する出力装置と、を備え、前記出力装置は、前記検出手段の前記シートの位置の検出結果に応じて、出力量及び／又は出力方向を調整することを要旨とする。
請求項２に記載の発明は、請求項１記載において、前記出力装置は、光を出力し、前記検出結果に応じて、光の量及び／又は光の方向を調整することを要旨とする。
請求項３に記載の発明は、請求項１記載において、前記出力装置は、風を出力し、前記検出結果に応じて、風の量及び／又は風の方向を調整することを要旨とする。
【発明の効果】
【０００８】
本発明のシート位置連動システムによると、車両におけるシートの位置を検出する検出手段と、乗員の感覚器に受容されるものを車室空間へ出力する出力装置と、を備える。そして、出力装置は、検出手段のシートの位置の検出結果に応じて、出力量及び／又は出力方向を調整する。これにより、シートの位置を変更すると、シートの位置に応じて出力装置の出力量及び／又は出力方向が自動的に調整される。よって、シートの位置を変更しても出力装置から適正な出力が実施されて乗員の快適性が維持される。また、従来のように照明装置等をスライド可能に設けるものに比べて、小型且つ簡易な構造とすることができる。
また、上記出力装置が、光を出力し、検出結果に応じて、光の量及び／又は光の方向を調整する場合は、シートの位置を変更しても出力装置から適正な光が出力される。
さらに、上記出力装置が、風を出力し、検出結果に応じて、風の量及び／又は風の方向を調整する場合は、シートの位置を変更しても出力装置から適正な風が出力される。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るシート位置連動システムのブロック図である。
【図２】上記シート位置連動システムを備える車両の模式図である。
【図３】図２のＩＩＩ矢視図である。
【図４】実施例に係るシートの斜視図である。
【図５】実施例に係る照明装置の斜視図である。
【図６】実施例に係る空調装置の吹出口の斜視図である。
【図７】図６のＶＩＩ−ＶＩＩ線断面図である。
【図８】上記照明装置の調整制御を説明するためのフローチャート図である。
【図９】上記照明装置の調整制御を説明するための説明図であり、（ａ）はシートのスライド位置と光量との相関を示すグラフであり、（ｂ）はシートのスライド位置と光方向との相関を示すグラフである。
【図１０】上記空調装置の調整制御を説明するためのフローチャート図である。
【図１１】上記空調装置の調整制御を説明するための説明図であり、（ａ）はシートのスライド位置と風量との相関を示すグラフであり、（ｂ）はシートのスライド位置と風方向との相関を示すグラフである。
【図１２】従来のシート位置連動システムを説明するための説明図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．シート位置連動システム
本実施形態１．に係るシート位置連動システム（１）は、車両におけるシートの位置を検出する検出手段（３）と、乗員の感覚器に受容されるものを車室空間へ出力する出力装置（４、５）と、を備える。そして、出力装置（４、５）は、検出手段（３）のシートの位置の検出結果に応じて、出力量及び／又は出力方向を調整する（例えば、図１等参照）。なお、上記「乗員の感覚器に受容されるもの」としては、例えば、光、風、音、映像等を挙げることができる。
【００１２】
本実施形態１．に係るシート位置連動システムとしては、例えば、上記出力装置（４）は、光を出力し、検出結果に応じて、光の量及び／又は光の方向を調整する形態（例えば、図１等参照）を挙げることができる。
【００１３】
上述の形態の場合、例えば、上記出力装置（４）は、車室空間へ光を出力し且つ光量及び／又は光方向が調整可能とされた照明装置（２３）と、検出手段（３）の検出結果に応じて、照明装置の光量及び／又は光方向を調整制御する制御部（２４）と、を備えることができる（例えば、図１及び図９等参照）。これにより、シートの位置に応じて照明装置を容易且つ確実に調整制御できる。この場合、上記制御部（２４）は、シートの位置と照明装置（２３）の光量及び／又は光方向との予め決められた相関関係（Ｐ１、Ｐ２）に基づいて調整装置を調整制御することが好ましい。
【００１４】
本実施形態１．に係るシート位置連動システムとしては、例えば、上記出力装置（５）は、風を出力し、検出結果に応じて、風の量及び／又は風の方向を調整する形態（例えば、図１等参照）を挙げることができる。
【００１５】
上述の形態の場合、例えば、上記出力装置（５）は、車室空間へ風を出力し且つ風量及び／又は風方向が調整可能とされた空調装置（３３）と、検出手段（３）の検出結果に応じて、空調装置の風量及び／又は風方向を調整制御する制御部（３４）と、を備えることができる（例えば、図１及び図１１等参照）。これにより、シートの位置に応じて空調装置を容易且つ確実に調整制御できる。この場合、上記制御部（３４）は、シートの位置と空調装置（３３）の風量及び／又は風方向との予め決められた相関関係（Ｑ１、Ｑ２）に基づいて空調装置を調整制御することが好ましい。
【００１６】
本実施形態１．に係るシート位置連動システムとしては、例えば、上記検出手段（３）は、シートの位置を調整するための駆動モータ（１８）内に内蔵され、駆動モータの回転数を検出することでシートの位置を検出する形態（例えば、図１等参照）を挙げることができる。これにより、車両室内で生じる振動やノイズ等の影響を受けることなくシートの位置を正確に検出できる。
【００１７】
なお、上記実施形態で記載した各構成の括弧内の符号は、後述する実施例に記載の具体的構成との対応関係を示すものである。
【実施例】
【００１８】
以下、図面を用いて実施例により本発明を具体的に説明する。なお、本実施例では、図２に示すように、フロントシート７、２列目リアシート８（本発明に係る「シート」として例示する。）及び３列目リアシート９を備える車両６を例示する。
【００１９】
（１）シート位置連動システムの構成
本実施例に係るシート位置連動システム１は、図１に示すように、シートの位置を検出する検出センサ３（本発明に係る「検出手段」として例示する。）と、第１出力装置４及び第２出力装置５と、を備えている。
【００２０】
上記リアシート８は、図２に示すように、車両前後方向に沿って前端位置Ａ（図２中に実線で示す）と後端位置Ｂ（図２中に２点鎖線で示す。）との間でスライド可能とされている。具体的に、シート８は、図３及び図４に示すように、フロアパネル上に車両前後方向に沿って配設された左右のガイドレール１３にスライド自在に支持されている。そして、シート８の駆動制御を司るシート制御部１５にスイッチ１６やリモコン１７（図４参照）等から駆動指令信号が入力されると、シート制御部１５により駆動モータ１８が駆動されてシート８がスライド移動される。
【００２１】
なお、本実施例では、シートクッション８ａに対してシートバッグ８ｂを駆動モータ１１の駆動で傾動可能としたリクライニング機構を備えるリアシート８を採用する（図４参照）。
【００２２】
上記検出センサ３は、駆動モータ１８内に内蔵されており、駆動モータ１８の回転数を検出することでシート８のスライド位置を検出する。この検出センサ３の検出結果は、図１に示すように、シート制御部１５及びＣＡＮ通信部１９を介してエンジンの駆動制御を司るメイン制御部２０に入力される。そして、メイン制御部２０は、ＬＩＮ通信部２１を介して後述する光制御部及び空調制御部に検出センサ３の検出結果を出力する。
【００２３】
上記第１出力装置４は、図１に示すように、車室空間へ光を出力する照明装置２３と、この照明装置２３の駆動制御を司る光制御部２４と、を備えている。なお、上記照明装置２３は、天井部の車両幅方向の左右の縁側のそれぞれに配設されている（図２及び図３参照）。
【００２４】
上記照明装置２３は、図５に示すように、発光ダイオード等からなる光源２６と、光源２６を内蔵するハウジング２７と、を備えている。このハウジング２７には、第１駆動モータ２８の主力軸２８ａが連結されている。また、第１駆動モータ２８の外周には揺動アーム２９の下端側が取り付けられ、この揺動アーム２９の上端側には第２駆動モータ３０の出力軸３０ａが連結されている。よって、各駆動モータ２８、３０の駆動により略直交する２軸回りに照明装置２３が回動されることで照明装置２３の光方向（すなわち、照射方向）が調整可能とされている。また、光源２６への印加電圧等を制御することで照明装置２３の光量が調整可能とされている。なお、上記駆動モータ２８、３０の出力軸２８ａ、３０ａは、適当な動力伝達機構を介して駆動対象に連結されていてもよい。
【００２５】
上記光制御部２４は、図８に示すように、メイン制御部２０から検出センサ３の検出結果が入力されると（ステップＳ１でＹＥＳ判定）、シート８のスライド位置が変更されたことを認識する。そして、照明装置２３の光源２６の光量を調整し（ステップＳ２）、駆動モータ２８、３０を駆動して照明装置２３の姿勢を制御して光源２６の光方向を調整する（ステップＳ３）。
【００２６】
ここで、上記光制御部２４は、図９（ａ）に示すように、シート８の位置と照明装置２３の光量との予め決められた相関関係Ｐ１を記憶しており、その相関関係Ｐ１に基づいて光量を調整する。さらに、上記光制御部２４は、図９（ｂ）に示すように、シート８の位置と照明装置２３の光方向との予め決められた相関関係Ｐ２を記憶しており、その相関関係Ｐ２に基づいて光方向を調整する。なお、図９（ａ）（ｂ）のグラフの横軸は、シート８の前端位置Ａと後端位置Ｂとの間のスライド位置を示す。また、図９（ａ）のグラフの縦軸は、照明装置２３の光量の大きさを示す。さらに、図９（ｂ）のグラフの縦軸は、照明装置２３の光方向（照射方向）の車両前後方向における向きを示す。
【００２７】
上記第２出力装置５は、図１に示すように、車室空間へ空調風（例えば、温風、冷風等）を出力する空調装置３３と、この空調装置３３の駆動制御を司る空調制御部３４と、を備えている。なお、上記空調装置３３の吹出口３６は、図２及び図３に示すように、天井部における左右のシート８の前上方側のそれぞれに配設されている。
【００２８】
上記空調装置３３の吹出口３６は、図６及び図７に示すように、筒状のハウジング３７と、このハウジング３７内で水平軸回りに回動自在に支持された複数（図中３つ）のフィン３８と、を備えている。これら各フィン３８の長手方向の一端側は連結部材３９に軸支されている。また、１つのフィン３８の支持軸３８ａには駆動モータ４０の出力軸４０ａが連結されている。よって、駆動モータ４０の駆動により各フィン３８が水平軸回りに回動されることで空調装置３３の吹出口３６からの風方向（すなわち、送風方向）が調整可能とされている。また、空調装置３３の空調回路４２（図１参照）を制御することで空調装置３３の吹出口３６からの風量が調整可能とされている。なお、上記駆動モータ４０の出力軸４０ａは、適当な動力伝達機構を介して駆動対象に連結されていてもよい。
【００２９】
上記空調制御部３４は、図１０に示すように、メイン制御部２０から検出センサ３の検出結果が入力されると（ステップＳ１１でＹＥＳ判定）、シート８のスライド位置が変更されたことを認識する。そして、空調回路４２（図１参照）を制御して吹出口３６からの風量を調整し（ステップＳ１２）、駆動モータ４０を駆動してフィン３８の姿勢を制御して吹出口３６からの風方向（すなわち、送風方向）を調整する（ステップＳ１３）。
【００３０】
ここで、上記空調制御部３４は、図１１（ａ）に示すように、シート８の位置と空調装置３３の風量との予め決められた相関関係Ｑ１を記憶しており、その相関関係Ｑ１に基づいて風量を調整する。さらに、上記空調制御部３４は、図１１（ｂ）に示すように、シート８の位置と空調装置３３の風方向との予め決められた相関関係Ｑ２を記憶しており、その相関関係Ｑ２に基づいて風方向を調整する。なお、図１１（ａ）（ｂ）のグラフの横軸は、シート８の前端位置Ａと後端位置Ｂとの間のスライド位置を示す。また、図１１（ａ）のグラフの縦軸は、空調装置３３の風量の大きさを示す。さらに、図１１（ｂ）のグラフの縦軸は、空調装置３３の風方向（送風方向）の車両前後方向における向きを示す。
【００３１】
なお、上記各制御部１５、２０、２４、３４の制御処理は、ハードウェア、ソフトウェアのいずれによって実現されてもよく、好適にはＣＰＵ、メモリ（ＲＯＭ、ＲＡＭ等）、入出力回路等を備えるマイクロコントローラ（マイクロコンピュータ）を中心に、入出力インターフェース等周辺回路を備えることにより構成することができる。
【００３２】
（２）シート位置連動システムの作用
次に、上記構成のシート位置連動システム１の作用について説明する。シート８をスライド移動させると、検出センサ３でシート８のスライド位置が検出される。そして、検出センサ３の検出結果に基づいて、光制御部２４により照明装置２３の光量及び光方向が調整されるとともに、空調制御部３４により空調装置３３の風量及び風方向が調整される。具体的には、例えば、シート８が車両後方に向かってスライド移動して照明装置２３及び空調装置３３から離れると、照明装置２３でより遠くが照明されるとともに、空調装置３３でより遠くに送風されることとなる。
【００３３】
（３）実施例の効果
以上より、本実施例のシート位置連動システム１によると、車両６におけるシート８の位置を検出する検出センサ３と、乗員の感覚器に受容されるものを車室空間へ出力する出力装置４、５と、を備える。そして、出力装置４、５は、検出センサ３のシート８の位置の検出結果に応じて、出力量及び出力方向を調整する。これにより、シート８の位置を変更すると、シート８の位置に応じて出力装置４、５の出力量及び出力方向が自動的に調整される。よって、シート８の位置を変更しても出力装置４、５から適正な出力が実施されて乗員の快適性が維持される。また、従来のように照明装置等をスライド可能に設けるものに比べて、小型且つ簡易な構造とすることができる。
【００３４】
また、本実施例では、出力装置４は、光を出力し、検出結果に応じて、光量及び光方向を調整するので、シート８の位置を変更しても出力装置４から適正な光が出力される。
【００３５】
また、本実施例では、出力装置４は、車室空間へ光を出力し且つ光量及び光方向を調整可能とされた照明装置２３と、検出センサ３の検出結果に応じて、シート８の位置と照明装置２３の光量及び光方向との予め決められた相関関係Ｐ１、Ｐ２に基づいて照明装置２３の光量及び光方向を調整制御する光制御部２４と、を備えるので、シート８の位置に応じて照明装置２３を容易且つ確実に調整制御できる。
【００３６】
また、本実施例では、出力装置５は、風を出力し、検出結果に応じて、風量及び風方向を調整するので、シート８の位置を変更しても出力装置５から適正な風が出力される。
【００３７】
また、本実施例では、出力装置５は、車室空間へ風を出力し且つ風量及び風方向を調整可能とされた空調装置３３と、検出センサ３の検出結果に応じて、シート８の位置と空調装置３３の風量及び風方向との予め決められた相関関係Ｑ１、Ｑ２に基づいて空調装置３３の風量及び風方向を調整制御する空調制御部３４と、を備えるので、シート８の位置に応じて空調装置３３を容易且つ確実に調整制御できる。
【００３８】
さらに、本実施例では、検出センサ３は、シート８の位置を調整するための駆動モータ１８内に内蔵され、駆動モータ１８の回転数を検出することでシート８の位置を検出するので、車両室内で生じる振動やノイズ等の影響を受けることなくシート８の位置を正確に検出できる。
【００３９】
尚、本発明においては、上記実施例に限られず、目的、用途に応じて本発明の範囲内で種々変更した実施例とすることができる。すなわち、上記実施例では、出力量及び出力方向の両者を調整する出力装置４、５を例示したが、これに限定されず、例えば、出力量及び出力方向のうちの一方のみを調整する出力装置としてもよい。
【００４０】
また、上記実施例では、２つの第１及び第２出力装置４、５を備えるシート位置連動システム１を例示したが、これに限定されず、例えば、１又は３以上の出力装置を備えるシート位置連動システムとしてもよい。
【００４１】
また、上記実施例では、光を出力する照明装置２３や風を出力する空調装置３３を例示したが、これに限定されず、例えば、音を出力するスピーカ装置としたり、映像を出力する表示装置としたりしてもよい。
【００４２】
また、上記実施例では、シート８のスライド位置に応じて出力装置４、５が出力を調整する形態を例示したが、これに限定されず、例えば、スライド位置に替えて又は加えて、シートクッション８ａに対するシートバッグ８ｂの傾動位置（すなわち、シートのリクライニング位置）、シート８の垂直軸回りの回転位置、車両フロアに対するシート８の高さ位置等のうちの１種又は２種以上の組み合わせに応じて出力装置が出力を調整するようにしてもよい。
【００４３】
特に、本実施例では、シート８の位置に応じて出力装置４、５が出力量及び／又は出力方向を調整するようにしたので、シートのリクライニング位置、シートの垂直軸回りの回転位置、車両フロアに対するシートの高さ位置等を変更しても、その変更にきめ細かく対応して乗員の快適性が維持される。これに対して、従来のように照明装置等をスライド可能に設けるもの（図１２参照）では、シートのスライド位置の変更にはある程度対応できるが、シートのリクライニング位置、シートの垂直軸回りの回転位置、車両フロアに対するシートの高さ位置等の変更にはきめ細かく対応できない恐れがある。
【００４４】
なお、上記シート８のリクライニング位置に応じて出力装置４、５が出力量及び／又は出力方向を調整する場合、例えば、傾動用の駆動モータ１１（図４参照）内に駆動モータ１１の回転数を検出する検出センサを設け、この検出センサの検出結果に応じて出力装置が出力を調整することができる。
【００４５】
また、上記実施例では、駆動モータ１８に内蔵された検出センサ３でシート８の位置を検出するようにしたが、これに限定されず、例えば、シート８の移動軌跡に応じて車両側に配設されたリミットスイッチや光センサ等の検出手段でシート８の位置を検出するようにしてもよい。また、例えば、リモコン１７（図４参照）の位置を検出手段で検出して、リモコン１７に向かって光を照らしたり風を送ったりしてもよい。
【００４６】
また、上記実施例では、照明装置２３を互いに略直交する２軸回りに回動させて姿勢制御するようにしたが、これに限定されず、例えば、照明装置２３を１軸回りに回動させて姿勢制御するようにしてもよい。
【００４７】
また、上記実施例では、空調装置３３において水平軸回りに回動可能に設けられたフィン３８を姿勢制御するようにしたが、これに限定されず、例えば、空調装置において水平軸回りに回動可能に設けられたフィンと垂直軸回りに回動可能に設けられたフィンとを姿勢制御するようにしてもよい。
【００４８】
また、上記実施例では、照明装置２３を光制御部２４で制御するとともに、空調装置３３を空調制御部３４で制御する形態を例示したが、これに限定されず、例えば、照明装置２３及び空調装置３３を単一の制御部（例えば、メイン制御部２０等）で制御するようにしてもよい。
【００４９】
また、上記実施例では、直線状の相関関係Ｐ１、Ｐ２、Ｑ１、Ｑ２を例示したが、これに限定されず、例えば、曲線状の相関関係としてもよい。
【００５０】
また、上記実施例では、天井部に配設される照明装置２３や空調装置３３を例示したが、これに限定されず、ピラー、ドアトリム、前側のシートに配設される照明装置や空調装置としてもよい。
【００５１】
また、上記実施例では、２列目リアシート８を対象としたシート位置連動システム１を例示したが、これに限定されず、例えば、フロントシートや３列目以降のリアシートを対象としてシート位置連動システムとしてもよい。
【００５２】
さらに、上記実施例において、左右のシート８に乗員の着座を検出する荷重センサを設けておけば、左右のシート８において一方に乗員が着座し他方に乗員が着座してない場合に、着座者に対して集中的に光を照射したり風を送ったりすることができる。
【００５３】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５４】
本発明は上記で詳述した実施形態に限定されず、本発明の請求項に示した範囲で様々な変形または変更が可能である。
【産業上の利用可能性】
【００５５】
乗用車、バス、トラック等の他、列車、汽車等の鉄道車両、建設車両、農業車両、産業車両などのシート位置に連動して出力を調整する技術として広く利用される。
【符号の説明】
【００５６】
１；シート位置連動システム、３；検出センサ、４；第１出力装置、５；第２出力装置、６；車両、８；リアシート。
【図１】
2014136570.tif 000003
【図２】
2014136570.tif 000004
【図３】
2014136570.tif 000005
【図４】
2014136570.tif 000006
【図５】
2014136570.tif 000007
【図６】
2014136570.tif 000008
【図７】
2014136570.tif 000009
【図８】
2014136570.tif 000010
【図９】
2014136570.tif 000011
【図１０】
2014136570.tif 000012
【図１１】
2014136570.tif 000013
【図１２】
2014136570.tif 000014